(57)【要約】【課題】開封後の再封時においても、開封防止機能が作用して、子供が容易に再開封できないようにした包装用箱を提供する。【解決手段】第一外側板１、外前板２、第二外側板３、後板４、第一内側板５、内前板６、第二内側板７が折線を介して横方向に順次連設され、外前板の上部中央に解放ボタン１１が設けられ、後板に上方蓋板１２、上方差込みフラップ１３、嵌め板１４が折線を介して上方向に順次連設され、内前板の上部中央に嵌め孔２０が設けられ、第一外側板の裏面と、第二内側板の表面、嵌め板の裏面は貼着部Ｐとし、各折線にしたがって各構成板が折り曲げられ、各貼着部Ｐが貼着された状態において、重ね合わされた外前板と内前板の間に差し込まれた嵌め板が、嵌め孔に嵌まり込んで、上方蓋板が外前板と内前板の間にロックされ、さらに解放ボタンが押えられたとき、嵌め板が嵌め孔から押し出され、上方蓋板のロックが解除されるようにした。【選択図】図２
2018002302.tif 000002
【特許請求の範囲】
【請求項１】
第一外側板（１）、外前板（２）、第二外側板（３）、後板（４）、第一内側板（５）、内前板（６）、第二内側板（７）が折線を介して横方向に順次連設され、外前板（２）の上部中央には解放ボタン（１１）が設けられ、後板（４）には上方蓋板（１２）、上方差込みフラップ（１３）、嵌め板（１４）が折線を介して上方向に順次連設され、内前板（６）の上部中央には嵌め板（１４）の嵌め孔（２０）が設けられ、第一外側板（１）の裏面または第一内側板（５）の表面と、第二内側板（７）の表面または第二外側板（３）の裏面、嵌め板（１４）の裏面は貼着部（Ｐ）とし、
前記各折線にしたがって各構成板が折り曲げられ、各貼着部（Ｐ）が貼着された状態において、外前板（２）と内前板（６）が重ね合わされ、これら重ね合わされた外前板２と内前板６の間に差し込まれた上方差込みフラップ（１３）に連設された嵌め板（１４）が、内前板（６）に設けられた嵌め孔（２０）に嵌まり込んで、上方蓋板（１２）が外前板（２）と内前板（６）の間にロックされ、さらに外前板（２）に設けられた解放ボタン（１１）が押えられたとき、この解放ボタン（１１）が前記嵌め板（１４）を前記嵌め孔（２０）から押し出し、上方蓋板（１２）のロックが解除されるようにしたことを特徴とする包装用箱。
【請求項２】
前記外前板（２）には、第一補強板（３１）が折線を介して上方向に連設され、前記内前板（６）には、第二補強板（３２）が折線を介して上方向に連設されており、外前板（２）と第一補強板（３１）が重ね合わされ、内前板（６）と第二補強板（３２）が重ね合わされるようにしたことを特徴とする請求項１記載の包装用箱。
【請求項３】
前記外前板（２）には、下方蓋板（８）、下方差込みフラップ（９）、上ストッパー（１０）が折線を介して下方向に順次連設され、前記後板（４）には、内蓋フラップ（１５）、折返しフラップ（１６）、下ストッパー（１７）が折線を介して下方向に順次連設され、この後板（４）と内蓋フラップ（１５）の境目の折線上にはフラップ差込み孔（１８）が設けられ、上ストッパー（１０）の裏面は貼着部（Ｐ）とし、
前記各折線にしたがって各構成板が折り曲げられ、貼着部（Ｐ）が貼着された状態において、フラップ差込み孔（１８）に差し込まれた下方差込みフラップ（９）に連設された上ストッパー（１０）の下端が、折返しフラップ（１６）に連設された下ストッパー（１７）の上端に引っ掛かって下方蓋板（８）がロックされるようにしたことを特徴とする請求項１または２記載の包装用箱。
【請求項４】
前記外前板（２）、後板（４）を略同形状の縦長の長方形にし、前記内前面板（６）をこれら外前板（２）、後板（４）より少し幅狭で、少し短長の縦長の長方形にし、前記第一外側板（１）、第二外側板（３）を内前面板（６）よりさらに幅狭で、外前板（２）、後板（４）と同長の縦長の長方形にし、前記第一内側板（５）、第二内側板（７）をこれら第一外側板（１）、第二外側板（３）より少し幅狭で、少し短長の縦長の長方形にしたことを特徴とする請求項１〜３の何れかに記載の包装用箱。
【請求項５】
前記外前板（２）には、略円弧状に切り欠いた案内口（２ａ）が上端部に設けられたことを特徴とする請求項１〜４の何れかに記載の包装用箱。
【請求項６】
前記第一内側板（５）と内前板（６）の境目の折線上には、この折線を折り易くするための第一弱め部（１９）が設けられ、前記第二内側板（７）と内前板（６）の境目の折線上には、この折線を折り易くするための第二弱め部（２１）が設けられたことを特徴とする請求項１〜５の何れかに記載の包装用箱。
【発明の詳細な説明】
【技術分野】
【０００１】
この発明は、薬品、化粧品、飲料などの商品を収納する包装用箱に関し、特に子供には開封が困難となるチャイルドレジスタント機能付きの包装用箱に関するものである。
【背景技術】
【０００２】
従来、この種の包装用箱は、図２６、２７に示したように、正面部５１と、正面部５１に対向する背面部５２と、正面部５１と背面部５２に跨がる一対の側面部５３とを備えると共に、箱体の上面側を封止する上面蓋片５４と、箱体の底面側を封止する底面蓋片５５とを備える。さらに、この包装用箱は、正面部５１を構成する部分として、第１シート部５６、第２シート部５７及び第３シート部５８を備えている。
【０００３】
そして、この包装用箱は、第１シート部５６に設けられた被押し込み部５６ａが外側から押し込まれ、被押し込み部５６ａの縁部に沿って設けられた第１切取線５９に沿って被押し込み部５６ａが第１シート部５６から切り離されることで開封されるようにしている。
【０００４】
さらに、この包装用箱１は、第２シート部５７に、箱体の開封を規制するように第１切取線５９の被ロック部５９ａの内側に重ねられるロック部６１と、ロック部６１を第２シート部５７から切り離すためにロック部６１の縁部に設けられた第２切取線６２とを有するとしている（特許文献１）。
【０００５】
このように構成される従来の包装用箱では、第１シート部５６の第１切取線５９の被ロック部５９ａの内側に、第２シート部５７のロック部６１が重ねられることで、第１シート部５６の被押し込み部５６ａが外側から押し込まれても、第１切取線５９に沿った被押し込み部５６ａの切り離しがロック部６１によって阻止されるため、容易に開封されることを防止できるとしている。
【０００６】
さらに、この包装用箱では、ロック部６１によるロックを解除するためには、第２シート部５７の第２切取線６２に沿って第２シート部５７からロック部６１を切り離す必要があるが、ロック部６１の切り離しには大きな力を要するため、子供の力ではロック部６１の切り離しが困難であり、子供によるロック解除を防止できるとしている。
【先行技術文献】
【特許文献】
【０００７】
【特許文献１】特許第５３４１２７１号公報
【発明の概要】
【発明が解決しようとする課題】
【０００８】
しかしながら、上記従来の包装用箱では、開封後の再封時には開封防止機能が作用せず、子供が容易に再開封することを防止できないという課題を有していた。
【０００９】
そこで、この発明は、上記従来の課題を解決するものであり、開封後の再封時においても、開封防止機能が作用して、子供が容易に再開封できないようにしたチャイルドレジスタント機能付きの包装用箱を提供することを目的としてなされたものである。
【課題を解決するための手段】
【００１０】
この発明の包装用箱は、第一外側板１、外前板２、第二外側板３、後板４、第一内側板５、内前板６、第二内側板７が折線を介して横方向に順次連設され、外前板２の上部中央には解放ボタン１１が設けられ、後板４には上方蓋板１２、上方差込みフラップ１３、嵌め板１４が折線を介して上方向に順次連設され、内前板６の上部中央には嵌め板１４の嵌め孔２０が設けられ、第一外側板１の裏面または第一内側板５の表面と、第二内側板７の表面または第二外側板３の裏面、嵌め板１４の裏面は貼着部Ｐとし、前記各折線にしたがって各構成板が折り曲げられ、各貼着部Ｐが貼着された状態において、外前板２と内前板６が重ね合わされ、これら重ね合わされた外前板２と内前板６の間に差し込まれた上方差込みフラップ１３に連設された嵌め板１４が、内前板６に設けられた嵌め孔２０に嵌まり込んで、上方蓋板１２が外前板２と内前板６の間にロックされ、さらに外前板２に設けられた解放ボタン１１が押えられたとき、この解放ボタン１１が前記嵌め板１４を前記嵌め孔２０から押し出し、上方蓋板１２のロックが解除されるようにしている。
【００１１】
この発明の包装用箱において、前記外前板２には、第一補強板３１が折線を介して上方向に連設され、前記内前板６には、第二補強板３２が折線を介して上方向に連設されており、外前板２と第一補強板３１が重ね合わされ、内前板６と第二補強板３２が重ね合わされるようにしている。
【００１２】
この発明の包装用箱において、前記外前板２には、下方蓋板８、下方差込みフラップ９、上ストッパー１０が折線を介して下方向に順次連設され、前記後板４には、内蓋フラップ１５、折返しフラップ１６、下ストッパー１７が折線を介して下方向に順次連設され、この後板４と内蓋フラップ１５の境目の折線上にはフラップ差込み孔１８が設けられ、上ストッパー１０の裏面は貼着部Ｐとし、前記各折線にしたがって各構成板が折り曲げられ、貼着部Ｐが貼着された状態において、フラップ差込み孔１８に差し込まれた下方差込みフラップ９に連設された上ストッパー１０の下端が、折返しフラップ１６に連設された下ストッパー１７の上端に引っ掛かって下方蓋板８がロックされるようにしている。
【００１３】
この発明の包装用箱において、前記外前板２、後板４を略同形状の縦長の長方形にし、前記内前面板６をこれら外前板２、後板４より少し幅狭で、少し短長の縦長の長方形にし、前記第一外側板１、第二外側板３を内前面板６よりさらに幅狭で、外前板２、後板４と同長の縦長の長方形にし、前記第一内側板５、第二内側板７をこれら第一外側板１、第二外側板３より少し幅狭で、少し短長の縦長の長方形にしている。
【００１４】
この発明の包装用箱において、前記外前板２には、略円弧状に切り欠いた案内口２ａが上端部に設けられている。
【００１５】
この発明の包装用箱において、前記第一内側板５と内前板６の境目の折線上には、この折線を折り易くするための第一弱め部１９が設けられ、前記第二内側板７と内前板６の境目の折線上には、この折線を折り易くするための第二弱め部２１が設けられている。
【発明の効果】
【００１６】
この発明の包装用箱は、以上に述べたような構成としているので、開封後の再封時においても、開封防止機能が作用して、子供が容易に再開封することができないものになった。
【図面の簡単な説明】
【００１７】
【図１】この発明の包装用箱の第一実施形態の展開した状態を示す表面図である。
【図２】この発明の包装用箱の第一実施形態の展開した状態を示す裏面図である。
【図３】第一実施形態の包装用箱の図２の状態からの組み立て順序を示す斜視図である。
【図４】第一実施形態の包装用箱の図３の状態からの組み立て順序を示す斜視図である。
【図５】第一実施形態の包装用箱の図４の状態からの箱上部の組み立て順序を示す斜視図である。
【図６】第一実施形態の包装用箱の図４の状態からの箱下部の組み立て順序を示す斜視図である。
【図７】第一実施形態の包装用箱を組み立てた状態を示す斜視図である。
【図８】図７中のＡ−Ａ線による第一実施形態の包装用箱の断面図である。
【図９】第一実施形態の包装用箱の開蓋時の操作状態を示す断面図である。
【図１０】この発明の包装用箱の第二実施形態の展開した状態を示す表面図である。
【図１１】この発明の包装用箱の第二実施形態の展開した状態を示す裏面図である。
【図１２】第二実施形態の包装用箱の図１１の状態からの組み立て順序を示す斜視図である。
【図１３】第二実施形態の包装用箱の図１２の状態からの組み立て順序を示す斜視図である。
【図１４】第二実施形態の包装用箱の図１３の状態からの箱上部の組み立て順序を斜視図である。
【図１５】第二実施形態の包装用箱を組み立てた状態を示す斜視図である。
【図１６】図１５中のＢ−Ｂ線による第二実施形態の包装用箱の断面図である。
【図１７】第二実施形態の包装用箱の開蓋時の操作状態を示す断面図である。
【図１８】この発明の包装用箱の第三実施形態の展開した状態を示す表面図である。
【図１９】この発明の包装用箱の第三実施形態の展開した状態を示す裏面図である。
【図２０】第三実施形態の包装用箱の図１９の状態からの組み立て順序を示す斜視図である。
【図２１】第三実施形態の包装用箱の図２０の状態からの組み立て順序を示す斜視図である。
【図２２】第三実施形態の包装用箱の図２１の状態からの箱上部の組み立て順序を斜視図である。
【図２３】第三実施形態の包装用箱を組み立てた状態を示す斜視図である。
【図２４】図２３中のＣ−Ｃ線による第三実施形態の包装用箱の断面図である。
【図２５】第二実施形態の包装用箱の開蓋時の操作状態を示す断面図である。
【図２６】従来の包装用箱の正面図である。
【図２７】従来の包装用箱の断面図である。
【発明を実施するための形態】
【００１８】
以下、この発明の包装用箱を実施するための第１〜３実施形態を、それぞれ図面に基づいて詳細に説明する。
【００１９】
（第１実施形態）
図１はこの発明の包装用箱を展開した状態を示す表面図であり、図２はこの発明の包装用箱を展開した状態を示す裏面図である。
【００２０】
この発明の包装用箱は、一枚の台紙において、第一外側板１、外前板２、第二外側板３、後板４、第一内側板５、内前板６、第二内側板７が折線ａ、ｂ、ｃ、ｄ、ｅ、ｆを介して横方向に順次連設されている。この実施形態では、外前板２、後板４を略同形状の縦長の長方形にし、内前面板６をこれら外前板２、後板４より少し（台紙一枚程度）幅狭で、少し短長の縦長の長方形にし、第一外側板１、第二外側板３を内前面板６よりさらに幅狭で、外前板２、後板４と同長の縦長の長方形にし、第一内側板５、第二内側板７をこれら第一外側板１、第二外側板３より少し（台紙一枚程度）幅狭で、少し短長の縦長の長方形にしている。
【００２１】
第一外側板１には、上フラップ１ａが折線ｇを介して上方向に連設され、下フラップ１ｂが折線ｈを介して下方向に連設されている。この実施形態では、上フラップ１ａの長さは、後に述べる上方蓋板１２の長さの略半分よりも長くしており、下フラップ１ｂの長さは、後に述べる下方蓋板８の長さの略半分よりも長くしている。
【００２２】
外前板２には、略円弧状に切り欠いた案内口２ａが上端部に設けられ、下方蓋板８、下方差込みフラップ９、上ストッパー１０が折線ｉ、ｊ、ｋを介して下方向に順次連設されている。さらに、外前板２の上部中央には略コ字状の切り目とした解放ボタン１１が設けられている。この実施形態では、案内口２ａは略円弧状に切り欠いたものとしているが、略台形状、略三角形状に切り欠いたものなどとすることもでき、解放ボタン１１の切り目は略コ字状にしているが、略Ｕ字状、略Ｖ字状などとすることもできる。なお、解放ボタン１１には、必要に応じて補強のための複数の凹凸条１１ａが形成されている。さらに、下方蓋板８の幅は、外前板２の幅と等しくしており、下方蓋板８の長さは、第一外側板１、第二外側板３の幅と等しくしている。また、下方差込みフラップ９の幅は、下方蓋板８の幅より狭く、下方差込みフラップ９の長さは、下方蓋板８の長さより少し短くしており、上ストッパー１０の幅は、下方差込みフラップ９の幅より狭く、上ストッパー１０の長さは、下方差込みフラップ９の長さより短くしている。
【００２３】
第二外側板３には、上フラップ３ａが折線ｌを介して上方向に連設され、下フラップ３ｂが折線ｍを介して下方向に連設されている。この実施形態では、上フラップ３ａの長さは、後に述べる上方蓋板１２の長さの略半分よりも長くしており、下フラップ３ｂの長さは、下方蓋板８の長さの略半分よりも長くしている。
【００２４】
後板４には、上方蓋板１２、上方差込みフラップ１３、嵌め板１４が折線ｎ、ｏ、ｐを介して上方向に順次連設され、内蓋フラップ１５、折返しフラップ１６、下ストッパー１７が折線ｑ、ｒ、ｓを介して下方向に順次連設されている。さらに、後板４と内蓋フラップ１５の境目の折線ｑ上には、フラップ差込み孔１８が設けられている。この実施形態では、上方蓋板１２の幅は、後板４の幅と等しくしており、上方蓋板１２の長さは、第一外側板１、第二外側板３の幅と等しくしている。さらに、上方差込みフラップ１３の幅は、上方蓋板１２の幅より少し狭く、上方差込みフラップ１３の長さは、上方蓋板１２の長さより短くしている。また、嵌め板１４の幅は、上方差込みフラップ１３の幅より狭く、嵌め板１４の長さは、上方差込みフラップ１３の長さより短くしている。そして、内蓋フラップ１５の幅は、後板４の幅より少し狭く、内蓋フラップ１５の長さは、下方蓋板８の長さより短くしている。さらに、折返しフラップ１６の幅は、内蓋フラップ１５の幅より狭く、折返しフラップ１６の長さは、内蓋フラップ１５の長さより少し短くしている。また、下ストッパー１７の幅は、折返しフラップ１６の幅より狭く、下ストッパー１７の長さは、折返しフラップ１６の長さより短くしている。なお、フラップ差込み孔１８は、切り目としているが、切り目に隙間をあけたものとしても、隙間をあけないものとしてもよい。
【００２５】
第一内側板５は、上端５ａを後板４から内前板６に向かって下方に傾斜させた直線状にしており、下端５ｂを後板４から内前板６に向かって上方に傾斜させた直線状にしており、その傾斜端に段差を形成して水平な直線状にしている。さらに、第一内側板５と内前板６の境目の折線ｅ上には、この折線ｅを折り易くするための第一弱め部１９が設けられている。この第一弱め部１９は、実施形態では、折線ｅ上から第一内側板５と内前板６に食み出して切り込んだ細長形状の孔としているが、折線ｅ上に形成した直線状の切り目やミシン目などとしてもよい。
【００２６】
内前板６は、上端６ａを略円弧状に膨らませており、下端６ｂを水平な直線状にしている。さらに、内前板６の上部中央には前記上方差込みフラップ１３に連設された嵌め板１４の嵌め孔２０が設けられている。この嵌め孔２０は、前記嵌め板１４が丁度嵌め込まれたり、遊びを持って嵌め込まれたりするように、嵌め板１４と同形にしたり、嵌め板１４より大きく形成している。
【００２７】
第二内側板７は、上端７ａを水平な直線状にしており、下端７ｂも水平な直線状にしている。さらに、第二内側板７と内前板６の境目の折線ｆ上には、この折線ｆを折り易くするための第二弱め部２１が設けられている。この第二弱め部２１は、前記第一弱め部１９と同様に、折線ｆ上から第二内側板７と内前板６に食み出して切り込んだ細長形状の孔としているが、折線ｆ上に形成した直線状の切り目やミシン目などとしてもよい。
【００２８】
そして、図中の網かけで示した部分は粘着部Ｐとしている。すなわち、図示したものでは、第一外側板１の裏面と第二内側板７の表面、下方差込みフラップ９に連設された上ストッパー１０の裏面と、上方差込みフラップ１３に連設された嵌め板１４の裏面と、内蓋フラップ１５に連設された折返しフラップ１６の裏面は、それぞれ適切な糊を塗布するなどして貼着部Ｐとしている。また、第一外側板１の裏面の貼着部Ｐに代えて第一内側板５の表面を貼着部（図示せず）とすることもでき、第二内側板７の表面の貼着部Ｐに代えて第二外側板３の裏面を貼着部（図示せず）とすることもできる。なお、第一外側板１と第二内側板７と折返しフラップ１６の貼着部Ｐは、図示したものではこれらの一部分としているが全域としてもよく、上ストッパー１０と嵌め板１４の貼着部Ｐは、図示したものではこれらの全域としているが一部分としてもよい。
【００２９】
以上のように構成したこの発明の包装用箱は、前記各折線にしたがって各構成板が折り曲げられ、各貼着部Ｐが貼着された状態において、図７、８に示したように、外前板２と内前板６が重ね合わされ、これら重ね合わされた外前板２と内前板６の間に差し込まれた上方差込みフラップ１３に連設された嵌め板１４が、内前板６に設けられた嵌め孔２０に嵌まり込んで、上方蓋板１２が外前板２と内前板６の間にロックされる。
【００３０】
さらに、この発明の包装用箱は、図９に示したように、外前板２に設けられた解放ボタン１１が指で押えられたとき、この解放ボタン１１が前記嵌め板１４を前記嵌め孔２０から押し出し、上方蓋板１２のロックが解除される。そして、この状態で上方蓋板１２を捲り上げれば、上方蓋板１２が開蓋されることになる。
【００３１】
また、この発明の包装用箱は、前記各折線にしたがって各構成板が折り曲げられ、各貼着部Ｐが貼着された状態において、図７、８に示したように、フラップ差込み孔１８に差し込まれた下方差込みフラップ９に連設された上ストッパー１０の下端が、折返しフラップ１６に連設された下ストッパー１７の上端に引っ掛かって下方蓋板８がロックされる。
【００３２】
以下、この発明の包装用箱の組み立て順序について、詳細に説明する。
【００３３】
先ず、図２に示した状態から、上ストッパー１０を折線ｋにしたがって内側に折り返して、この上ストッパー１０の貼着部Ｐを下方差込みフラップ９に貼着すると共に、嵌め板１４を折線ｐにしたがって内側に折り返して、この嵌め板１４の貼着部Ｐを上方差込みフラップ１３に貼着する。さらに、折返しフラップ１６を折線ｒにしたがって内側に折り返して、この折返しフラップ１６の貼着部Ｐを内蓋フラップ１５に貼着する。そして、第一内側板５、内前板６、第二内側板７をそれぞれ折線ｄ、ｅ、ｆにしたがって内側に９０度折り曲げると、図３に示した状態となる。この場合、第一内側板５と内前板６の境目の折線ｅ上には第一弱め部１９を設けており、第二内側板７と内前板６の境目の折線ｆ上には第二弱め部２１を設けているので、折り曲げ易いものとなる。
【００３４】
次に、図３に示した状態から、第一外側板１、外前板２、第二外側板３をそれぞれ折線ａ、ｂ、ｃにしたがって内側に９０度折り曲げ、第一外側板１を第一内側板５に、外前板２を内前板６に、第二外側板３を第二内側板７にそれぞれ重ね合わせ、第一外側板１の貼着部Ｐを第一内側板５に貼着すると、図４に示した状態となる。この場合、第一内側板５、内前板６、第二内側板７は、第一外側板１、外前板２、第二外側板３よりそれぞれ短長の長方形にしているので、第一外側板１、外前板２、第二外側板３の内側にそれぞれコンパクトに配置されるものとなる。また、この状態では、第一内側板５、第二内側板７を第一外側板１、第二外側板３より少し（台紙一枚程度）幅狭にしているので、外前板２と内前板６の間には少し（台紙一枚程度）の隙間ができることになる。
【００３５】
さらに、図４に示した状態から、図５に示したように上フラップ１ａ、３ａをそれぞれ折線ｇ、ｌにしたがって内側に９０度折り曲げ、上方差込みフラップ１３を折線ｏにしたがって内側に９０度折り曲げ、上方蓋板１２を折線ｎにしたがって内側に９０度折り曲げると、外前板２と内前板６の間に、上方差込みフラップ１３が差し込まれる。なお、この場合、外前板２と内前板６の間には少し（台紙一枚程度）の隙間ができているので、上方差込みフラップ１３は差し込み易いものとなる。
【００３６】
すると、内前板６の嵌め孔２０に上方蓋板１２の嵌め板１４が嵌まり込み、図７、８に示したように、上方蓋板１２が外前板２と内前板６の間にロックされ、開蓋できない状態となる。
【００３７】
一方、図４に示した状態から、下フラップ１ｂ、３ｂをそれぞれ折線ｈ、ｍにしたがって内側に９０度折り曲げ、内蓋フラップ１５を折線ｑにしたがって内側に９０度折り曲げると、下ストッパー１７が後板４に当たって９０度弱折り曲げられ、図６に示した状態になる。
【００３８】
そして、下方差込みフラップ９を折線ｊにしたがって内側に９０度折り曲げ、さらに下方蓋板８を折線ｉにしたがって内側に９０度折り曲げて、下方差込みフラップ９がフラップ差込み孔１８に差し込まれたとき、図７、８に示したように、上ストッパー１０の下端が下ストッパー１７の上端に引っ掛かって下方蓋板８がロックされ、開蓋できない状態となる。
【００３９】
そこで、この発明の包装用箱において、上方蓋板１２を開蓋するには、図９に示したように、外前板２に設けた解放ボタン１１を指で押えた状態にすると、この解放ボタン１１が内前板６を後方に押し下げ、内前板６の嵌め孔２０から上方差込みフラップ１３の嵌め板１４が外れ、嵌め板１４と嵌め孔２０とのロックを解除するので、この状態で差込みフラップ１３を指で押さえつけ、案内口２ａから上方差込みフラップ１３を別の指で押さえつけて捲り上げれば、図５に示したように、上方蓋板１２が再び開蓋される。
【００４０】
なお、この発明の包装用箱は、下方蓋板８を開蓋できないような構造としているが、前記上方蓋板１２の構造を応用することにより、この下方蓋板８も開蓋できるような構造にすることも可能である。
【００４１】
（第２実施形態）
図１０はこの発明の包装用箱を展開した状態を示す表面図であり、図１１はこの発明の包装用箱を展開した状態を示す裏面図である。
【００４２】
この発明の包装用箱は、一枚の台紙において、第一外側板１、外前板２、第二外側板３、後板４、第一内側板５、内前板６、第二内側板７が折線ａ、ｂ、ｃ、ｄ、ｅ、ｆを介して横方向に順次連設されている。この実施形態では、外前板２、後板４を略同形状の縦長の長方形にし、内前面板６をこれら外前板２、後板４より少し（台紙一枚程度）幅狭で、少し短長の縦長の長方形にし、第一外側板１、第二外側板３を内前面板６よりさらに幅狭で、外前板２、後板４と同長の縦長の長方形にし、第一内側板５、第二内側板７をこれら第一外側板１、第二外側板３より少し（台紙二枚程度）幅狭で、少し短長の縦長の長方形にしている。
【００４３】
第一外側板１には、上フラップ１ａが折線ｇを介して上方向に連設され、下フラップ１ｂが折線ｈを介して下方向に連設されている。この実施形態では、上フラップ１ａの長さは、後に述べる上方蓋板１２の長さの略半分よりも長くしており、下フラップ１ｂの長さは、後に述べる下方蓋板８の長さの略半分よりも長くしている。
【００４４】
外前板２には、第一補強板３１が折線ｔを介して上方向に連設され、折線ｔの中央部から両端寄りに上下に向かって外前板２と第一補強板３１を略円弧状に切り欠いた案内口２ａが設けられ、下方蓋板８、下方差込みフラップ９、上ストッパー１０が折線ｉ、ｊ、ｋを介して下方向に順次連設されている。さらに、外前板２の上部中央には略コ字状の切り目とした解放ボタン１１が設けられている。この実施形態では、案内口２ａは略円弧状に切り欠いたものとしているが、略台形状、略三角形状に切り欠いたものなどとすることもでき、解放ボタン１１の切り目は略コ字状にしているが、略Ｕ字状、略Ｖ字状などとすることもできる。なお、解放ボタン１１には、必要に応じて補強のための複数の凹凸条１１ａが形成されている。さらに、下方蓋板８の幅は、外前板２の幅と等しくしており、下方蓋板８の長さは、第一外側板１、第二外側板３の幅と等しくしている。また、下方差込みフラップ９の幅は、下方蓋板８の幅より狭く、下方差込みフラップ９の長さは、下方蓋板８の長さより少し短くしており、上ストッパー１０の幅は、下方差込みフラップ９の幅より狭く、上ストッパー１０の長さは、下方差込みフラップ９の長さより短くしている。
【００４５】
第二外側板３には、上フラップ３ａが折線ｌを介して上方向に連設され、下フラップ３ｂが折線ｍを介して下方向に連設されている。この実施形態では、上フラップ３ａの長さは、後に述べる上方蓋板１２の長さの略半分よりも長くしており、下フラップ３ｂの長さは、下方蓋板８の長さの略半分よりも長くしている。
【００４６】
後板４には、上方蓋板１２、上方差込みフラップ１３、嵌め板１４が折線ｎ、ｏ、ｐを介して上方向に順次連設され、内蓋フラップ１５、折返しフラップ１６、下ストッパー１７が折線ｑ、ｒ、ｓを介して下方向に順次連設されている。さらに、後板４と内蓋フラップ１５の境目の折線ｑ上には、フラップ差込み孔１８が設けられている。この実施形態では、上方蓋板１２の幅は、後板４の幅と等しくしており、上方蓋板１２の長さは、第一外側板１、第二外側板３の幅と等しくしている。さらに、上方差込みフラップ１３の幅は、上方蓋板１２の幅より少し狭く、上方差込みフラップ１３の長さは、上方蓋板１２の長さより短くしている。また、嵌め板１４の幅は、上方差込みフラップ１３の幅より狭く、嵌め板１４の長さは、上方差込みフラップ１３の長さより短くしている。そして、内蓋フラップ１５の幅は、後板４の幅より少し狭く、内蓋フラップ１５の長さは、下方蓋板８の長さより短くしている。さらに、折返しフラップ１６の幅は、内蓋フラップ１５の幅より狭く、折返しフラップ１６の長さは、内蓋フラップ１５の長さより少し短くしている。また、下ストッパー１７の幅は、折返しフラップ１６の幅より狭く、下ストッパー１７の長さは、折返しフラップ１６の長さより短くしている。なお、フラップ差込み孔１８は、切り目としているが、切り目に隙間をあけたものとしても、隙間をあけないものとしてもよい。
【００４７】
第一内側板５は、上端５ａを後板４から内前板６に向かって下方に傾斜させた直線状にしており、下端５ｂを後板４から内前板６に向かって上方に傾斜させた直線状にしており、その傾斜端に段差を形成して水平な直線状にしている。さらに、第一内側板５と内前板６の境目の折線ｅ上には、この折線ｅを折り易くするための第一弱め部１９が設けられている。この第一弱め部１９は、実施形態では、折線ｅ上から第一内側板５と内前板６に食み出して切り込んだ細長形状の孔としているが、折線ｅ上に形成した直線状の切り目やミシン目などとしてもよい。
【００４８】
内前板６には、第二補強板３２が折線ｕを介して上方向に連設され、内前板６の下端６ｂを水平な直線状にしている。さらに、内前板６の上部中央には前記上方差込みフラップ１３に連設された嵌め板１４の嵌め孔２０が設けられている。この嵌め孔２０は、前記嵌め板１４が丁度嵌め込まれたり、遊びを持って嵌め込まれたりするように、嵌め板１４と同形にしたり、嵌め板１４より大きく形成している。
【００４９】
第二内側板７は、上端７ａを水平な直線状にしており、下端７ｂも水平な直線状にしている。さらに、第二内側板７と内前板６の境目の折線ｆ上には、この折線ｆを折り易くするための第二弱め部２１が設けられている。この第二弱め部２１は、前記第一弱め部１９と同様に、折線ｆ上から第二内側板７と内前板６に食み出して切り込んだ細長形状の孔としているが、折線ｆ上に形成した直線状の切り目やミシン目などとしてもよい。
【００５０】
そして、図中の網かけで示した部分は粘着部Ｐとしている。すなわち、図示したものでは、第一外側板１の裏面と第二内側板７の表面、下方差込みフラップ９に連設された上ストッパー１０の裏面と、上方差込みフラップ１３に連設された嵌め板１４の裏面と、内蓋フラップ１５に連設された折返しフラップ１６の裏面は、それぞれ適切な糊を塗布するなどして貼着部Ｐとしている。また、第一外側板１の裏面の貼着部Ｐに代えて第一内側板５の表面を貼着部（図示せず）とすることもでき、第二内側板７の表面の貼着部Ｐに代えて第二外側板３の裏面を貼着部（図示せず）とすることもできる。なお、第一外側板１と第二内側板７と折返しフラップ１６の貼着部Ｐは、図示したものではこれらの一部分としているが全域としてもよく、上ストッパー１０と嵌め板１４の貼着部Ｐは、図示したものではこれらの全域としているが一部分としてもよい。さらに、第一補強板３１の裏面と第二補強板３２の裏面も、それぞれ適切な糊を塗布するなどして貼着部Ｐとしている。
【００５１】
以上のように構成したこの発明の包装用箱は、前記各折線にしたがって各構成板が折り曲げられ、各貼着部Ｐが貼着された状態において、図１５、１６に示したように、外前板２と第一補強板３１が重ね合わされ、内前板６と第二補強板３２が重ね合わされて、これら重ね合わされた外前板２と内前板６の間に差し込まれた上方差込みフラップ１３に連設された嵌め板１４が、内前板６に設けられた嵌め孔２０に嵌まり込んで、上方蓋板１２が外前板２と内前板６の間にロックされる。
【００５２】
さらに、この発明の包装用箱は、図１７に示したように、外前板２に設けられた解放ボタン１１が指で押えられたとき、この解放ボタン１１が前記嵌め板１４を前記嵌め孔２０から押し出し、上方蓋板１２のロックが解除される。そして、この状態で上方蓋板１２を捲り上げれば、上方蓋板１２が開蓋されることになる。
【００５３】
また、この発明の包装用箱は、前記各折線にしたがって各構成板が折り曲げられ、各貼着部Ｐが貼着された状態において、図１５、１６に示したように、フラップ差込み孔１８に差し込まれた下方差込みフラップ９に連設された上ストッパー１０の下端が、折返しフラップ１６に連設された下ストッパー１７の上端に引っ掛かって下方蓋板８がロックされる。
【００５４】
以下、この発明の包装用箱の組み立て順序について、詳細に説明する。
【００５５】
先ず、図１１に示した状態から、上ストッパー１０を折線ｋにしたがって内側に折り返して、この上ストッパー１０の貼着部Ｐを下方差込みフラップ９に貼着すると共に、嵌め板１４を折線ｐにしたがって内側に折り返して、この嵌め板１４の貼着部Ｐを上方差込みフラップ１３に貼着する。次に、第一補強板３１を折線ｔにしたがって内側に折り返して、この第一補強板３１の貼着部Ｐを内前板６に貼着すると共に、第二補強板３２を折線ｕにしたがって内側に折り返して、この第二補強板３２の貼着部Ｐを外前板２に貼着する。さらに、折返しフラップ１６を折線ｒにしたがって内側に折り返して、この折返しフラップ１６の貼着部Ｐを内蓋フラップ１５に貼着する。そして、第一内側板５、内前板６、第二内側板７をそれぞれ折線ｄ、ｅ、ｆにしたがって内側に９０度折り曲げると、図１２に示した状態となる。この場合、第一内側板５と内前板６の境目の折線ｅ上には第一弱め部１９を設けており、第二内側板７と内前板６の境目の折線ｆ上には第二弱め部２１を設けているので、折り曲げ易いものとなる。
【００５６】
次に、図１２に示した状態から、第一外側板１、外前板２、第二外側板３をそれぞれ折線ａ、ｂ、ｃにしたがって内側に９０度折り曲げ、第一外側板１を第一内側板５に、外前板２を内前板６に、第二外側板３を第二内側板７にそれぞれ重ね合わせて、第一外側板１の貼着部Ｐを第一内側板５に貼着すると、図１３に示した状態となる。この場合、第一内側板５、内前板６、第二内側板７は、第一外側板１、外前板２、第二外側板３よりそれぞれ短長の長方形にしているので、第一外側板１、外前板２、第二外側板３の内側にそれぞれコンパクトに配置されるものとなる。また、この状態では、第一内側板５、第二内側板７を第一外側板１、第二外側板３より少し（台紙二枚程度）幅狭にしているので、外前板２に重ね合わされた第一補強板３１と内前板６の間には少し（台紙一枚程度）の隙間ができることになる。
【００５７】
さらに、図１３に示した状態から、図１４に示したように上フラップ１ａ、３ａをそれぞれ折線ｇ、ｌにしたがって内側に９０度折り曲げ、上方差込みフラップ１３を折線ｏにしたがって内側に９０度折り曲げ、上方蓋板１２を折線ｎにしたがって内側に９０度折り曲げると、第一補強板３１が重ね合わされた外前板２と第二補強板３２が重ね合わされたれ内前板６の間に、上方差込みフラップ１３が差し込まれる。なお、この場合、外前板２に重ね合わされた第一補強板３１と内前板６の間には少し（台紙一枚程度）の隙間ができているので、上方差込みフラップ１３は差し込み易いものとなる。
【００５８】
すると、内前板６の嵌め孔２０に上方蓋板１２の嵌め板１４が嵌まり込み、図１５、１６に示したように、上方蓋板１２が外前板２と内前板６の間にロックされ、開蓋できない状態となる。
【００５９】
一方、図１３に示した状態から、下フラップ１ｂ、３ｂをそれぞれ折線ｈ、ｍにしたがって内側に９０度折り曲げ、内蓋フラップ１５を折線ｑにしたがって内側に９０度折り曲げると、下ストッパー１７が後板４に当たって９０度弱折り曲げられ、第１実施形態の図６に示したのと同様の状態になる。
【００６０】
そして、下方差込みフラップ９を折線ｊにしたがって内側に９０度折り曲げ、さらに下方蓋板８を折線ｉにしたがって内側に９０度折り曲げて、下方差込みフラップ９がフラップ差込み孔１８に差し込まれたとき、図１５、１６に示したように、上ストッパー１０の下端が下ストッパー１７の上端に引っ掛かって下方蓋板８がロックされ、開蓋できない状態となる。
【００６１】
そこで、この発明の包装用箱において、上方蓋板１２を開蓋するには、図１７に示したように、外前板２に設けた解放ボタン１１を指で押えた状態にすると、この解放ボタン１１が内前板６を後方に押し下げ、内前板６の嵌め孔２０から上方差込みフラップ１３の嵌め板１４が外れ、嵌め板１４と嵌め孔２０とのロックを解除するので、この状態で差込みフラップ１３を指で押さえつけ、案内口２ａから上方差込みフラップ１３を別の指で押さえつけて捲り上げれば、図１４に示したように、上方蓋板１２が再び開蓋される。
【００６２】
なお、この発明の包装用箱では、上方蓋板１２の開蓋を繰り返し行うには、解放ボタン１１を繰り返し指で押え、内前板６を繰り返し後方に押し下げなければならない。このような操作を繰り返すと、外前板２の上部や内前板６の押し下げ部が徐々にへたってくるが、第一補強板３１と第二補強板３２は、これらの部分のへたりを抑制するものとしている。
【００６３】
また、この発明の包装用箱は、下方蓋板８を開蓋できないような構造としているが、前記上方蓋板１２の構造を応用することにより、この下方蓋板８も開蓋できるような構造にすることも可能である。
【００６４】
（第３実施形態）
図１８はこの発明の包装用箱を展開した状態を示す表面図であり、図１９はこの発明の包装用箱を展開した状態を示す裏面図である。
【００６５】
この発明の包装用箱は、一枚の台紙において、第一外側板１、外前板２、第二外側板３、後板４、第一内側板５、内前板６、第二内側板７が折線ａ、ｂ、ｃ、ｄ、ｅ、ｆを介して横方向に順次連設されている。この実施形態では、外前板２、後板４を略同形状の縦長の長方形にし、内前面板６をこれら外前板２、後板４より少し（台紙一枚程度）幅狭で、少し短長の縦長の長方形にし、第一外側板１、第二外側板３を内前面板６よりさらに幅狭で、外前板２、後板４と同長の縦長の長方形にし、第一内側板５、第二内側板７をこれら第一外側板１、第二外側板３より少し（台紙二枚程度）幅狭で、少し短長の縦長の長方形にしている。
【００６６】
第一外側板１には、上フラップ１ａが折線ｇを介して上方向に連設され、下フラップ１ｂが折線ｈを介して下方向に連設されている。この実施形態では、上フラップ１ａの長さは、後に述べる上方蓋板１２の長さの略半分よりも長くしており、下フラップ１ｂの長さは、後に述べる下方蓋板８の長さの略半分よりも長くしている。
【００６７】
外前板２には、第一補強板３１が折線ｔを介して上方向に連設され、折線ｔの中央部から両端寄りに上下に向かって外前板２と第一補強板３１を略円弧状に切り欠いた案内口２ａが設けられ、下方蓋板８、下方差込みフラップ９、上ストッパー１０が折線ｉ、ｊ、ｋを介して下方向に順次連設されている。さらに、外前板２の上部中央には、略口字状の開孔とした解放ボタン１１が設けられている。この実施形態では、案内口２ａは略円弧状に切り欠いたものとしているが、略台形状、略三角形状に切り欠いたものなどとすることもでき、解放ボタン１１の開孔は略ロ字状にしているが、略円状、略楕円状などとすることもできる。さらに、第一補強板３１の上部には、後述するようにこの第一補強板３１を折り返したときに前記解放ボタン１１に対応するようにした略口字状の開孔としたボタン孔３３が設けられている。このボタン孔３３は、解放ボタン１１に合わせた形状とすることができる。なお、ボタン孔３３は、箱組立て時において解放ボタン１１より箱の内側に配置されるので、解放ボタン１１と同じ大きさか、少なくても一回り小さく形成されることにより、解放ボタン１１の開孔周囲を保護している。さらに、下方蓋板８の幅は、外前板２の幅と等しくしており、下方蓋板８の長さは、第一外側板１、第二外側板３の幅と等しくしている。また、下方差込みフラップ９の幅は、下方蓋板８の幅より狭く、下方差込みフラップ９の長さは、下方蓋板８の長さより少し短くしており、上ストッパー１０の幅は、下方差込みフラップ９の幅より狭く、上ストッパー１０の長さは、下方差込みフラップ９の長さより短くしている。
【００６８】
第二外側板３には、上フラップ３ａが折線ｌを介して上方向に連設され、下フラップ３ｂが折線ｍを介して下方向に連設されている。この実施形態では、上フラップ３ａの長さは、後に述べる上方蓋板１２の長さの略半分よりも長くしており、下フラップ３ｂの長さは、下方蓋板８の長さの略半分よりも長くしている。
【００６９】
後板４には、上方蓋板１２、上方差込みフラップ１３、嵌め板１４が折線ｎ、ｏ、ｐを介して上方向に順次連設され、内蓋フラップ１５、折返しフラップ１６、下ストッパー１７が折線ｑ、ｒ、ｓを介して下方向に順次連設されている。さらに、後板４と内蓋フラップ１５の境目の折線ｑ上には、フラップ差込み孔１８が設けられている。この実施形態では、上方蓋板１２の幅は、後板４の幅と等しくしており、上方蓋板１２の長さは、第一外側板１、第二外側板３の幅と等しくしている。さらに、上方差込みフラップ１３の幅は、上方蓋板１２の幅より少し狭く、上方差込みフラップ１３の長さは、上方蓋板１２の長さより短くしている。また、嵌め板１４の幅は、上方差込みフラップ１３の幅より狭く、嵌め板１４の長さは、上方差込みフラップ１３の長さより短くしている。そして、内蓋フラップ１５の幅は、後板４の幅より少し狭く、内蓋フラップ１５の長さは、下方蓋板８の長さより短くしている。さらに、折返しフラップ１６の幅は、内蓋フラップ１５の幅より狭く、折返しフラップ１６の長さは、内蓋フラップ１５の長さより少し短くしている。また、下ストッパー１７の幅は、折返しフラップ１６の幅より狭く、下ストッパー１７の長さは、折返しフラップ１６の長さより短くしている。なお、フラップ差込み孔１８は、切り目としているが、切り目に隙間をあけたものとしても、隙間をあけないものとしてもよい。
【００７０】
第一内側板５は、上端５ａを後板４から内前板６に向かって下方に傾斜させた直線状にしており、下端５ｂを後板４から内前板６に向かって上方に傾斜させた直線状にしており、その傾斜端に段差を形成して水平な直線状にしている。さらに、第一内側板５と内前板６の境目の折線ｅ上には、この折線ｅを折り易くするための第一弱め部１９が設けられている。この第一弱め部１９は、実施形態では、折線ｅ上から第一内側板５と内前板６に食み出して切り込んだ細長形状の孔としているが、折線ｅ上に形成した直線状の切り目やミシン目などとしてもよい。
【００７１】
内前板６には、第二補強板３２が折線ｕを介して上方向に連設され、内前板６の下端６ｂを水平な直線状にしている。さらに、内前板６の上部中央には前記上方差込みフラップ１３に連設された嵌め板１４の嵌め孔２０が設けられている。この嵌め孔２０は、前記嵌め板１４が丁度嵌め込まれたり、遊びを持って嵌め込まれたりするように、嵌め板１４と同形にしたり、嵌め板１４より大きく形成している。
【００７２】
第二内側板７は、上端７ａを水平な直線状にしており、下端７ｂも水平な直線状にしている。さらに、第二内側板７と内前板６の境目の折線ｆ上には、この折線ｆを折り易くするための第二弱め部２１が設けられている。この第二弱め部２１は、前記第一弱め部１９と同様に、折線ｆ上から第二内側板７と内前板６に食み出して切り込んだ細長形状の孔としているが、折線ｆ上に形成した直線状の切り目やミシン目などとしてもよい。
【００７３】
そして、図中の網かけで示した部分は粘着部Ｐとしている。すなわち、図示したものでは、第一外側板１の裏面と第二内側板７の表面、下方差込みフラップ９に連設された上ストッパー１０の裏面と、上方差込みフラップ１３に連設された嵌め板１４の裏面と、内蓋フラップ１５に連設された折返しフラップ１６の裏面は、それぞれ適切な糊を塗布するなどして貼着部Ｐとしている。また、第一外側板１の裏面の貼着部Ｐに代えて第一内側板５の表面を貼着部（図示せず）とすることもでき、第二内側板７の表面の貼着部Ｐに代えて第二外側板３の裏面を貼着部（図示せず）とすることもできる。なお、第一外側板１と第二内側板７と折返しフラップ１６の貼着部Ｐは、図示したものではこれらの一部分としているが全域としてもよく、上ストッパー１０と嵌め板１４の貼着部Ｐは、図示したものではこれらの全域としているが一部分としてもよい。さらに、第一補強板３１の裏面と第二補強板３２の裏面も、それぞれ適切な糊を塗布するなどして貼着部Ｐとしている。
【００７４】
以上のように構成したこの発明の包装用箱は、前記各折線にしたがって各構成板が折り曲げられ、各貼着部Ｐが貼着された状態において、図２３、２４に示したように、外前板２と第一補強板３１が重ね合わされ、内前板６と第二補強板３２が重ね合わされて、これら重ね合わされた外前板２と内前板６の間に差し込まれた上方差込みフラップ１３に連設された嵌め板１４が、内前板６に設けられた嵌め孔２０に嵌まり込んで、上方蓋板１２が外前板２と内前板６の間にロックされる。
【００７５】
さらに、この発明の包装用箱は、図２５に示したように、外前板２に設けられた解放ボタン１１が指で押えられたとき、この解放ボタン１１が前記嵌め板１４を前記嵌め孔２０から押し出し、上方蓋板１２のロックが解除される。そして、この状態で上方蓋板１２を捲り上げれば、上方蓋板１２が開蓋されることになる。
【００７６】
また、この発明の包装用箱は、前記各折線にしたがって各構成板が折り曲げられ、各貼着部Ｐが貼着された状態において、図２３、２４に示したように、フラップ差込み孔１８に差し込まれた下方差込みフラップ９に連設された上ストッパー１０の下端が、折返しフラップ１６に連設された下ストッパー１７の上端に引っ掛かって下方蓋板８がロックされる。
【００７７】
以下、この発明の包装用箱の組み立て順序について、詳細に説明する。
【００７８】
先ず、図１９に示した状態から、上ストッパー１０を折線ｋにしたがって内側に折り返して、この上ストッパー１０の貼着部Ｐを下方差込みフラップ９に貼着すると共に、嵌め板１４を折線ｐにしたがって内側に折り返して、この嵌め板１４の貼着部Ｐを上方差込みフラップ１３に貼着する。次に、第一補強板３１を折線ｔにしたがって内側に折り返して、この第一補強板３１の貼着部Ｐを内前板６に貼着すると共に、第二補強板３２を折線ｕにしたがって内側に折り返して、この第二補強板３２の貼着部Ｐを外前板２に貼着する。さらに、折返しフラップ１６を折線ｒにしたがって内側に折り返して、この折返しフラップ１６の貼着部Ｐを内蓋フラップ１５に貼着する。そして、第一内側板５、内前板６、第二内側板７をそれぞれ折線ｄ、ｅ、ｆにしたがって内側に９０度折り曲げると、図２０に示した状態となる。この場合、第一内側板５と内前板６の境目の折線ｅ上には第一弱め部１９を設けており、第二内側板７と内前板６の境目の折線ｆ上には第二弱め部２１を設けているので、折り曲げ易いものとなる。
【００７９】
次に、図２０に示した状態から、第一外側板１、外前板２、第二外側板３をそれぞれ折線ａ、ｂ、ｃにしたがって内側に９０度折り曲げ、第一外側板１を第一内側板５に、外前板２を内前板６に、第二外側板３を第二内側板７にそれぞれ重ね合わせて、第一外側板１の貼着部Ｐを第一内側板５に貼着すると、図２１に示した状態となる。この場合、第一内側板５、内前板６、第二内側板７は、第一外側板１、外前板２、第二外側板３よりそれぞれ短長の長方形にしているので、第一外側板１、外前板２、第二外側板３の内側にそれぞれコンパクトに配置されるものとなる。また、この状態では、第一内側板５、第二内側板７を第一外側板１、第二外側板３より少し（台紙二枚程度）幅狭にしているので、外前板２に重ね合わされた第一補強板３１と内前板６の間には少し（台紙一枚程度）の隙間ができることになる。
【００８０】
さらに、図２１に示した状態から、図２２に示したように上フラップ１ａ、３ａをそれぞれ折線ｇ、ｌにしたがって内側に９０度折り曲げ、上方差込みフラップ１３を折線ｏにしたがって内側に９０度折り曲げ、上方蓋板１２を折線ｎにしたがって内側に９０度折り曲げると、第一補強板３１が重ね合わされた外前板２と第二補強板３２が重ね合わされた内前板６の間に、上方差込みフラップ１３が差し込まれる。なお、この場合、外前板２に重ね合わされた第一補強板３１と内前板６の間には少し（台紙一枚程度）の隙間ができているので、上方差込みフラップ１３は差し込み易いものとなる。
【００８１】
すると、内前板６の嵌め孔２０に上方蓋板１２の嵌め板１４が嵌まり込み、図２３、２４に示したように、上方蓋板１２が外前板２と内前板６の間にロックされ、開蓋できない状態となる。
【００８２】
一方、図２１に示した状態から、下フラップ１ｂ、３ｂをそれぞれ折線ｈ、ｍにしたがって内側に９０度折り曲げ、内蓋フラップ１５を折線ｑにしたがって内側に９０度折り曲げると、下ストッパー１７が後板４に当たって９０度弱折り曲げられ、第１実施形態の図６に示したのと同様の状態になる。
【００８３】
そして、下方差込みフラップ９を折線ｊにしたがって内側に９０度折り曲げ、さらに下方蓋板８を折線ｉにしたがって内側に９０度折り曲げて、下方差込みフラップ９がフラップ差込み孔１８に差し込まれたとき、図２３、２４に示したように、上ストッパー１０の下端が下ストッパー１７の上端に引っ掛かって下方蓋板８がロックされ、開蓋できない状態となる。
【００８４】
そこで、この発明の包装用箱において、上方蓋板１２を開蓋するには、図２５に示したように、外前板２に設けた解放ボタン１１を指で押えた状態にすると、この解放ボタン１１が内前板６を後方に押し下げ、内前板６の嵌め孔２０から上方差込みフラップ１３の嵌め板１４が外れ、嵌め板１４と嵌め孔２０とのロックを解除するので、この状態で差込みフラップ１３を指で押さえつけ、案内口２ａから上方差込みフラップ１３を別の指で押さえつけて捲り上げれば、図２２に示したように、上方蓋板１２が再び開蓋される。
【００８５】
なお、この発明の包装用箱では、上方蓋板１２の開蓋を繰り返し行うには、解放ボタン１１を繰り返し指で押え、内前板６を繰り返し後方に押し下げなければならない。このような操作を繰り返すと、外前板２の上部や内前板６の押し下げ部が徐々にへたってくるが、第一補強板３１と第二補強板３２は、これらの部分のへたりを抑制するものとしている。
【００８６】
また、この発明の包装用箱は、下方蓋板８を開蓋できないような構造としているが、前記上方蓋板１２の構造を応用することにより、この下方蓋板８も開蓋できるような構造にすることも可能である。
【００８７】
以上に述べたように、この発明の包装用箱は、何れの実施形態においても、解放ボタン１１を指で押えた状態にしてから、上方蓋板１２を開蓋操作することができるが、この簡単な操作を理解できない子供にはこの上方蓋板１２の開蓋がし難いものとなる。
【００８８】
したがって、この発明の包装用箱は、何れの実施形態においても、開封後の再封時においても、開封防止機能が作用して、子供が容易に再開封することができないものとなる。
【符号の説明】
【００８９】
１  第一外側板
２  外前板
２ａ  案内口
３  第二外側板
４  後板
５  第一内側板
６  内前板
７  第二内側板
８  下方蓋板
９  下方差込みフラップ
１０  上ストッパー
１１  解放ボタン
１２  上方蓋板
１３  上方差込みフラップ
１４  嵌め板
１５  内蓋フラップ
１６  折返しフラップ
１７  下ストッパー
１８  フラップ差込み孔
１９  第一弱め部
２０  嵌め孔
２１  第二弱め部
３１  第一補強板
３２  第二補強板
ａ〜ｕ  折線
Ｐ  貼着部
【図１】
2018002302.tif 000003
【図２】
2018002302.tif 000004
【図３】
2018002302.tif 000005
【図４】
2018002302.tif 000006
【図５】
2018002302.tif 000007
【図６】
2018002302.tif 000008
【図７】
2018002302.tif 000009
【図８】
2018002302.tif 000010
【図９】
2018002302.tif 000011
【図１０】
2018002302.tif 000012
【図１１】
2018002302.tif 000013
【図１２】
2018002302.tif 000014
【図１３】
2018002302.tif 000015
【図１４】
2018002302.tif 000016
【図１５】
2018002302.tif 000017
【図１６】
2018002302.tif 000018
【図１７】
2018002302.tif 000019
【図１８】
2018002302.tif 000020
【図１９】
2018002302.tif 000021
【図２０】
2018002302.tif 000022
【図２１】
2018002302.tif 000023
【図２２】
2018002302.tif 000024
【図２３】
2018002302.tif 000025
【図２４】
2018002302.tif 000026
【図２５】
2018002302.tif 000027
【図２６】
2018002302.tif 000028
【図２７】
2018002302.tif 000029